(57)【特許請求の範囲】
【請求項１】
被調理物を収納可能に内底部と内周部を有し、外部からの加熱を受けて発熱する容器と、前記容器を収納する収納容器部と、
前記容器に対して着脱自在に配されると共に、前記容器内の被調理物を撹拌する撹拌体とを備え、
前記撹拌体は、
前記撹拌体が回転することにより被調理物を撹拌する羽根部と、
前記撹拌体が前記容器に収納されたとき前記容器の内底部に対向して配されると共に、外部からの回転磁界を受けることが可能な磁石と、
を備え、
前記収納容器部において、
前記磁石に対して回転磁界を発生させる回転磁界発生部と、
前記回転磁界発生部を制御する回転磁界制御部と、を備え、
前記撹拌体の前記羽根部は、正回転方向の下流側に向けて凸状に湾曲して、
正回転方向の回転により被調理物を前記容器の内周部に向かって寄せ集めるように作用し、逆回転方向の回転により正回転方向の回転により寄せ集められた被調理物を前記容器の中心に向かって崩すように作用するように構成され、
前記回転磁界制御手段は、前記回転磁界発生部によって、前記磁石に対して回転磁界を正回転方向に回転させ、設定回転数により、前記磁石を逆回転方向へ回転磁界を切り替えて、逆回転方向の回転数を１回転から２回転の範囲で実行されるように制御する加熱撹拌調理器。
【発明の詳細な説明】
【技術分野】
【０００１】
本発明は、加熱される容器内に収容された被調理物を撹拌するための撹拌体を備えた加熱撹拌調理器に関する。具体的には、容器内に配置され容器の外部からの回転磁界をうけて回転する撹拌体を備えた加熱撹拌調理器に関するものである。
【背景技術】
【０００２】
従来から、誘導加熱調理器に備えたコイルから発生する磁界によって上部に載置した鍋を加熱するとともに、永久磁石または着磁体を有した回転翼の回転をおこなう回転加熱調理器が提案されている（例えば、特許文献１参照）。
【０００３】
特許文献１によれば、定期的にしゃもじ等でかき混ぜなくとも被調理物が焦げ付かず、かつ他の回転調理器にも併せて使用可能として、機器の保管場所が少なくて済む回転加熱調理器を提供することを目的としたものである。図１２は特許文献１に記載された従来の回転加熱調理器を示すもので、本体１０１に収納されたインバータ１０３に接続した複数部に分割したコイル１０４がインバータ１０３の出力に応じて、高周波磁界または低周波磁界あるいはこの混合磁界を発生し、内部に磁石１０６を備えた回転翼１０７を有した非磁性金属で形成された鍋１０５をコイル１０４の上部に載置して鍋１０５の加熱と回転翼１０７の回転の両方を行うようになっている。
【先行技術文献】
【特許文献】
【０００４】
【特許文献１】特開平８−３５６６４号公報
【発明の概要】
【発明が解決しようとする課題】
【０００５】
しかしながら、このような回転磁界により動力を伝達する構成において、一般に磁気ギャップ（空隙長）が広くなるにつれて磁気結合度が低下する。一方、誘導加熱調理器に備えたコイルと回転翼に備えた永久磁石との間には鍋を載置する載置板の厚みや鍋の厚みが存在するために広い磁気ギャップが存在する。実際にはこの磁気ギャップは５ｍｍから１５ｍｍ程度となり、鍋内の被調理物（例えば数皿分のカレーの煮込み）を撹拌するための大きな回転トルクを確保するためには誘導加熱機器のコイルから発生される磁束と永久磁石で形成する磁束が十分に鎖交する構成が必要となる。また回転翼は本来の被調理物を撹拌するための羽根を形成するために、回転翼に磁性体を備える場合にはスペース的な制約があり、限られたスペースで磁束密度を高くする必要性から回転翼には、ネオジウム焼結磁石など強力な永久磁石が用いられる。
【０００６】
一方、実際の加熱調理において、特に固形物を主とする被調理物の撹拌では、被調理物のサイズや大きさ硬さなどは一様ではなく、撹拌を行うための撹拌体にかかる負荷は被調理物相互の重なり方や容器との接触のしかたなどの変化にともない撹拌中に刻々変動する。さらに、加熱にともなう被調理物の硬さの変化や水分の移動、蒸発などによっても撹拌体にかかる負荷が変化する。
【０００７】
たとえば、容器の内底部の中心を軸に回転する撹拌体を備えた構成の加熱撹拌調理器では、撹拌体の羽根部の回転動作によって被調理物の一部が羽根部と容器の内周部との間に挟まるように介在して抵抗となることで回転負荷が撹拌体の駆動トルクを上回って増大することにより回転不能（ロック状態）になる場合があり、この状態で加熱が継続すると被調理物の加熱むらや焦げ付きが発生して調理の失敗につながってしまうことになる。この
ため撹拌機能付きの加熱調理器を使用する場合であっても、使用者は撹拌体が停止していないかを調理中に時々監視する必要性や負荷の増大要因を取り除く手間が生じてしまうことになる。
【０００８】
また、この負荷変動に対応して余力をもって（十分大きなトルクで）撹拌しようとすると機器は大型のものになり使用性の良い加熱撹拌調理器の実現は困難である。つまり撹拌のための駆動力を発生させるモーターやその駆動力を撹拌体に伝達させるカップリング（動力伝達手段）、さらにモーターに電力を供給する電源の大型化や重量増加などをともなってしまい使用性に優れた加熱撹拌調理器の実現は困難である。また、加熱中の被調理物を大きなトルクで撹拌することは煮崩れの要因となり調理の出来栄えを損ねることにもつながる。
【０００９】
逆に、羽根部にかかる被調理物の抵抗を低減しようとすると被調理物への作用が限定されて、期待する撹拌効果を発揮することが難しい。つまり、一般的に加熱調理における加熱ムラの要因としては、容器を加熱するヒーターなどの加熱手段の配置や熱伝導の差、容器内の被調理物の位置や対流の有無、さらには被調理物の疎密などによる熱容量の大小など、複雑に関係している。そのために形や大きさが一定でない不揃いにカットされた複数の被調理物の相互の入れ替わりや、被調理物の容器との接触面の入れ替わりを促進して被調理物が一定箇所に留まり偏って加熱されないようにすることが重要である。
【００１０】
ここで期待する撹拌効果とは、調理工程における撹拌を自動で行うことにより、たとえば水分が少なく対流を期待できないような固形物中心の被調理物の加熱調理、あるいは水分の蒸発で焦げ付きなどの心配のある加熱調理においても撹拌体の羽根部を被調理物に物理的に作用させることにより、調理者が箸やヘラなどの調理具を用いて、均一に加熱されるように被調理物を裏返したり上下入れ替えたり集めたり散らばせたりする断続的あるいは連続的な操作（撹拌の手間）を省くことである。
【００１１】
本発明は、前記従来の課題を解決するもので、低い撹拌トルクで被調理物を効果的に撹拌でき、加熱撹拌調理器の大型化や重量増加に伴う取扱い性の悪化を抑えて使用性に優れ、さらに撹拌体への負荷増大に起因する過負荷停止状態に対応して撹拌動作の停止を防止して使用者は調理中に注意をはらうことがなくても失敗なく均一に加熱調理を完了することができる加熱撹拌調理器を提供することを目的とする。
【課題を解決するための手段】
【００１２】
前記従来の課題を解決するために、本発明の加熱撹拌調理器は、
被調理物を収納可能に内底部と内周部を有し、外部からの加熱を受けて発熱する容器と、前記容器を収納する収納容器部と、
前記容器に対して着脱自在に配されると共に、前記容器内の被調理物を撹拌する撹拌体とを備え、
前記撹拌体は、
前記撹拌体が回転することにより被調理物を撹拌する羽根部と、
前記撹拌体が前記容器に収納されたとき前記容器の内底部に対向して配されると共に、外部からの回転磁界を受けることが可能な磁石と、
を備え、
前記収納容器部において、
前記磁石に対して回転磁界を発生させる回転磁界発生部と、
前記回転磁界発生部を制御する回転磁界制御部と、を備え、
前記撹拌体の前記羽根部は、正回転方向の下流側に向けて凸状に湾曲して、
正回転方向の回転により被調理物を前記容器の内周部に向かって寄せ集めるように作用し、逆回転方向の回転により正回転方向の回転により寄せ集められた被調理物を前記容器の中心に向かって崩すように作用するように構成され、
前記回転磁界制御手段は、前記回転磁界発生部によって、前記磁石に対して回転磁界を正回転方向に回転させ、設定回転数により、前記磁石を逆回転方向へ回転磁界を切り替えて、逆回転方向の回転数を１回転から２回転の範囲で実行するように制御する構成としたものである。
【００１３】
これにより、撹拌体を正回転方向と逆回転方向とを異なる割合で組み合わせて回転させて被調理物を撹拌することで、被調理物に対し正回転方向の回転とは反対の向きから撹拌体の回転力を作用させることができ被調理物の偏り過ぎによる撹拌体にかかる負荷の増大要因を解除しつつ撹拌することができる。さらに撹拌体に過負荷がかかって撹拌体が停止する場合でも撹拌体の逆回転方向の回転を組み合わせているので、人手を介さずにこの状態から脱出することができ被調理物の撹拌を継続することができる。
【発明の効果】
【００１４】
本発明の加熱撹拌調理器は、容器に入れた被調理物を撹拌しながら加熱することができ、数皿分のカレーなどの煮込み調理においても人が定期的にしゃもじ等でかき混ぜなくとも焦げ付きや加熱ムラを防止することができるものである。さらに、容器内の被調理物に対し撹拌する作用を保ちつつ、撹拌のための必要な回転トルクを低くおさえることにより撹拌体および加熱調理器の小型化、軽量化が実現できるので、取り扱い性に優れ、またさらに、撹拌による被調理物へのダメージ（例えば過撹拌による被調理物の煮崩れ）の発生も抑えた加熱撹拌調理器を提供することができる。
【図面の簡単な説明】
【００１５】
【図１】本発明の実施の形態１における加熱撹拌調理器を示す斜視図
【図２】本発明の実施の形態１における加熱撹拌調理器の蓋体を外した状態を示す上面図
【図３】本発明の実施の形態１における加熱撹拌調理器を示す図２のＡ−Ａ断面図
【図４】本発明の実施の形態１における加熱撹拌調理器を示す図３の要部拡大断面図
【図５】本発明の実施の形態１における加熱撹拌調理器の動作を説明するための要部拡大断面図
【図６】本発明の実施の形態１における撹拌体の要部を示す上面図と側面図と背面図
【図７】本発明の実施の形態１における撹拌体の下面側から見た分解斜視図と上面側から見た分解斜視図
【図８】本発明の実施の形態１における撹拌体の動作を説明するための断面図
【図９】本発明の実施の形態１における撹拌体の動作を説明するための断面図
【図１０】本発明の実施の形態１における撹拌体の動作を説明するための断面図
【図１１】本発明の実施の形態１における撹拌体の動作を説明するための断面図
【図１２】従来の回転加熱調理器を示す要部断面模式図
【発明を実施するための形態】
【００１６】
第１の発明は、
被調理物を収納可能に内底部と内周部を有し、外部からの加熱を受けて発熱する容器と、前記容器を収納する収納容器部と、
前記容器に対して着脱自在に配されると共に、前記容器内の被調理物を撹拌する撹拌体とを備え、
前記撹拌体は、
前記撹拌体が回転することにより被調理物を撹拌する羽根部と、
前記撹拌体が前記容器に収納されたとき前記容器の内底部に対向して配されると共に、外部からの回転磁界を受けることが可能な磁石と、
を備え、
前記収納容器部において、
前記磁石に対して回転磁界を発生させる回転磁界発生部と、
前記回転磁界発生部を制御する回転磁界制御部と、を備え、
前記撹拌体の前記羽根部は、正回転方向の下流側に向けて凸状に湾曲して、
正回転方向の回転により被調理物を前記容器の内周部に向かって寄せ集めるように作用し、逆回転方向の回転により正回転方向の回転により寄せ集められた被調理物を前記容器の中心に向かって崩すように作用するように構成され、
前記回転磁界制御手段は、前記回転磁界発生部によって、前記磁石に対して回転磁界を正回転方向に回転させ、設定回転数により、前記磁石を逆回転方向へ回転磁界を切り替えて、逆回転方向の回転数を１回転から２回転の範囲で実行するように制御する構成としたものである。
【００１７】
これにより、撹拌体を正回転方向と逆回転方向とを異なる割合で組み合わせて回転させて被調理物を撹拌することで、被調理物に対し正回転方向の回転とは反対の向きから撹拌体の回転力を作用させることができ被調理物の偏り過ぎによる撹拌体にかかる負荷の増大要因を解除しつつ撹拌することができる。さらに撹拌体に過負荷がかかって撹拌体が停止する場合でも撹拌体の逆回転方向の回転を組み合わせているので、人手を介さずにこの状態から脱出することができ被調理物の撹拌を継続することができる。たとえば、被調理物が羽根部と容器の内周部との間に挟まって抵抗となり回転負荷が増大してしまい回転不能（ロック状態）になる場合にも、撹拌体の回転の向きを逆にする逆回転方向の回転を組み合わせることで負荷の増大要因を取り除いて撹拌を継続することができ被調理物が容器内の特定の箇所に留ることが原因で起きる焦げや加熱ムラを防止することができる。つまり撹拌トルクを低く設定できて被調理物を効果的に撹拌することができるものである。使用者は失敗を恐れて撹拌が適正に動作していることに注意をはらうこともないので、加熱調理完了まで蓋を開けて調理工程を確認する手間もなく、蓋を開けることによる熱の損失を抑制する効果が期待できる。特に、電気圧力鍋や電気炊飯器のような蓋に閉止機構を備えた形態の調理器であっても撹拌機能を備えた加熱調理器として提供することで、調理開始時に予め被調理物を投入するだけで調理が完成するまで手間をかける必要性がなく極めて有用となる。
【００２３】
さらに、逆回転方向の１回転により被調理物に対し正回転方向の回転とは反対の向きから撹拌体の回転を作用させることができるので十分に負荷の増大要因を取り除いて撹拌を継続することができる。
【００２４】
以下、本発明の実施の形態について、図面を参照しながら説明する。なお、この実施の
形態によって本発明が限定されるものではない。
【００２５】
（実施の形態１）
図１は本発明の第１の実施の形態における加熱撹拌調理器を示す斜視図、図２は本発明の第１の実施の形態における加熱撹拌調理器の蓋体を外した状態を示す上面図、図３は本発明の第１の実施の形態における加熱撹拌調理器を示す図２のＡ−Ａ断面図である。図４は本発明の第１の実施の形態における加熱撹拌調理器を示す図３の要部拡大断面図、図５は本発明の第１の実施の形態における加熱撹拌調理器の動作を説明するための要部拡大断面図である。図６は本発明の第１の実施の形態における撹拌体の要部を示す上面図、側面図、背面図である。図７は本発明の第１の実施の形態における撹拌体の下面側から見た分解斜視図と上面側から見た分解斜視図である。図８から図１１は本発明の第１の実施の形態における撹拌体の動作を説明するための断面図である。
【００２６】
図中、１は加熱撹拌調理器の本体であり、本体１の内部には被調理物（図示せず）を調理するための容器２を収納する収納容器部３を設けている。収納容器部３の底には容器２の底面と接して熱を伝達するヒーター部４を配置しており、本体１上方には、容器２の開口部を覆う蓋体５を本体１に回動自在に軸支している。容器２は内底部と内周部を有して被調理物を収納可能とし、ヒーター部４は容器２の底に沿ってリング状の形状を有し、ヒーター部４からの加熱を受けて容器２が発熱するようになっている。
【００２７】
図３に示すように、６は永久磁石７とクラッチ部８を収納する収納部９と収納部９の周囲に羽根部１０を形成した撹拌体である。撹拌体６は、被調理物を収納する容器２の内底部に対して着脱自在に配置され、撹拌体６が回転することにより容器２内の被調理物を羽根部１０により撹拌する構成となっている。永久磁石７は、撹拌体６が容器２に収納されたとき、容器２の内底部に対向して配されると共に、外部からの回転磁界を受けることが可能なものである。この外部からの回転磁界は、収納容器部３内に収納され、容器２底面の外側に位置し撹拌体６の永久磁石７と対向するように配置された回転磁界発生部である回転磁界発生装置１１によって発生させている。回転磁界発生装置１１は、装置側永久磁石１２を収納したカップリング部１３とそれと連結する駆動モーター１４により構成するものである。装置側永久磁石１２とカップリング部１３とは嵌め合い部で嵌合する状態とした構成としているため、駆動モーター１４の駆動力をカップルリング部１３に伝達させるとカップリング部１３と一緒に装置側永久磁石１２が回転することで、回転磁界を形成するものである。
【００２８】
回転磁界制御手段である制御部５０は本体１内に配されており、制御部５０は回転磁界発生装置１１を構成する駆動モーター１４の回転を制御して装置側永久磁石１２の磁界の回転を変化させることで回転磁界を制御することができる。カップリング部１３はヒーター部４の中央開口部を通して容器２の外底面とは約１ｍｍのクリアランスを設けており、カップリング部１３と容器２の外底面との間で挟まれるスペーサー部材１５をカップリング部１３の上部に組み付けている。容器２の内周部の一部に、被調理物を撹拌する際に、撹拌特性を有利に作用させる目的で、容器２の中心方向に向かって、約６ｍｍ突出させ断面を湾曲状にした邪魔部１６（図２参照）を設けている。
【００２９】
図４と図５において、７は永久磁石であり、８はクラッチ部である。その双方は収納部９に収納されている。図６において、永久磁石７は、リング状に４極の磁極をＮ／Ｓ／Ｎ／Ｓの順に配置し、収納部９への収納状態において上方となる側に磁束漏えいを抑制する磁性金属板１７を接着している。ここで、上方とは、収納部９内で永久磁石７を外部からの回転磁界が付与される側と反対側を意味するものである。磁性金属板１７の回転軸中心に位置する部分に少なくとも１辺の直線部を持つ開口部１８を形成している。
【００３０】
図７において、磁性金属板１７の開口部１８にクラッチ部８を構成するクラッチ爪部１９を嵌合して、クラッチ爪部１９と永久磁石７とが一体となるように組み立てている。このクラッチ爪部１９は、略円筒状の形状で内周部側に略台形状の爪部２０を設けており、爪部２０は、永久磁石７が外部磁界を受ける側を下底としたとき上底よりも幅を小さくしている。つまり、下底から上底の方向に向かって周方向の幅が拡がる傾斜面を形成している。さらに、爪部２０は、内周部側から突出する凸形状となっている。永久磁石７とクラッチ爪部１９は、収納部９内の回転軸中心に設けた柱状部２１を貫通して組み付けており、柱状部２１を摺接して上下の昇降、および回転方向に保持されるように構成している。換言すれば、永久磁石７は収納部９内で柱状部２１の高さ方向に移動可能に収納されている。クラッチ部８を構成するクラッチ爪部１９が相対するクラッチ係合部２２は略円筒状に形成したもので、柱状部２１を貫通して収納部９の底位置付近に配しており、クラッチ係合部２２と柱状部２１とは軸回転方向にズレが生じないように係合させている。クラッチ係合部２２は、収納部９内でクラッチ爪部１９の爪部２０と嵌り合う係合部２３を略円筒の外周面に設けており、クラッチ爪部１９の爪部２０の傾斜面に一致する傾斜面を形成している。したがって、係合部２３は凹形状で形成されており、爪部２０の大きさより若干小さく形成されている。なお、図４に示すように、柱状部２１の先端は、収納部９内に永久磁石７等を収納した状態で締結手段によって上方固定位置部３２と固定されている。
【００３１】
収納部９の底面回転軸中心部には、柱状部２１の内側に相当する部分に凹部を設け、軸受用のブッシュ２４、および、略円板状の受け部２５を備えたシャフト部２６を組み付けている（図４参照）。撹拌体６を容器２にセットする際は、このシャフト部２６の受け部２５が容器２の内底部に乗る状態となり、このシャフト部２６を中心に撹拌体６の羽根部１０、および収納部９が回転することになる。つまり、シャフト部２６は容器２の内底部に接地した状態となって固定された状態となり、ほぼ回転動作は発生しないものである。
【００３２】
図７〜図１１に示すように、クラッチ爪部１９には、収納部９の底面との間でクラッチ爪部１９に対して上方向に押し圧が掛かるように圧縮コイルバネ２７を配している。換言すると、圧縮コイルバネ２７は、収納部９内で永久磁石７を回転磁界発生装置１１からの回転磁界が付与される側と反対側に付勢している。圧縮コイルバネ２７の荷重設定は、クラッチ爪部１９を、つまりは、永久磁石７と磁性金属板１７を、収納部９の上方固定位置部３２の方向に押し上げて上方固定位置部３２の直下に位置する状態（図５および図１０参照）の時に、収納部９底面が磁性体の金属板上（例えば、鉄板上）に置かれた際に永久磁石７の磁力によって金属板側に引き付けられる吸着力に対して、１．２〜１．５倍の押圧を永久磁石７に対して与えるだけの荷重となるように設定している。略円筒状に形成したクラッチ係合部２２は、クラッチ爪部１９の爪部２０が係合する係合部２３以外の外周を、永久磁石７と磁性金属板１７が上方固定位置部３２の直下の位置で回転保持するようにスライド部２８を設けており、図１０に示すように、永久磁石７と磁性金属板１７が収納部９の上方固定位置部３２の直下に位置した際、クラッチ爪部１９の爪部２０がそのスライド部２８の面上を滑りながら摺動回転するものである。なお、スライド部２８は、係合部２３と連続して形成されている。
【００３３】
図５に示すように、収納部９内の側壁内面において、永久磁石７が上方固定位置部３２の直下の位置まで移動した際の永久磁石７の周囲側面に対向する高さ位置に、厚み１〜３ｍｍのリング状の磁性金属体２９を収納部９内に固定して取り付けている。このリング状の磁性金属体２９と永久磁石７の間には、永久磁石７が収納部９内で昇降、および、回転する際に接することがないように０．５〜３ｍｍのクリアランスを設けている。図４に示すように、永久磁石７が収納部９の下端に位置する際には永久磁石７の外周に対向する位置の収納部９内面にはリング状の磁性金属体２９はなく、図５に示すように、永久磁石７が収納部９内の上端に位置した時に永久磁石７の外周位置にリング状の磁性金属体２９が相対するように構成している。
【００３４】
図９に示すように、クラッチ係合部２２の係合部２３におけるクラッチ爪部１９の爪部２０と接する傾斜面は、主に回転する方向（右（正）回転方向）で係合する傾斜面（Ａ）３０においては、その傾斜角度Θ１を回転平面に対して６５°〜８５°に設定しており、その対称側（左（逆）回転方向）の傾斜面（Ｂ）３１においては、図１１に示すように、その傾斜角度Θ２を回転平面に対して４５°〜７５°に設定している。
【００３５】
撹拌体６に用いている永久磁石７と回転磁界発生装置１１に用いている装置側永久磁石１２の磁石の材質として、装置側永久磁石１２にはネオジウム焼結磁石を選択しており、一方の永久磁石７には、ネオジウム焼結磁石、サマリウムコバルト磁石かＦｅ−Ｃｒ−Ｃｏ系磁石、もしくは、Ｆｅ−Ｎｄ−Ｂ系のボンド磁石の中から選択している。この時、永久磁石７は、撹拌体６を容器２から取り外した際の取り扱い性を考え、装置側永久磁石１２よりも吸着力等の磁気特性が低くなるように、磁石の材質と磁石サイズを設定している。
【００３６】
次に、撹拌体６の機能について説明する。
撹拌体６は、本体１内の容器２底の外側に配した回転磁界発生装置１１によって、容器２の底の厚みを介して回転動作を回転磁界発生装置１１に対して非接触で伝達するものである。この回転動作は、図６に示すように、撹拌体６の内部に収納した永久磁石７のＮ極とＳ極とを周方向に交互に配してリング状とし、それと相対するように回転磁界を発生させるカップリング内部１３に構成した装置側永久磁石１２にもＮ極とＳ極とを周方向に交互に配置させている。この構成により、相対する異極による吸引力と、その隣接の磁極との間に発生する反発力とによって、撹拌体６の永久磁石７と回転磁界発生装置１１の装置側永久磁石１２とが同期して回転するものである。
【００３７】
図２において撹拌体６は実線矢印に示す時計方向の回転が正回転方向であり、破線矢印に示す反時計方向の回転が逆回転方向である。そして、制御部５０は、回転磁界発生部である回転磁界発生装置１１を制御して永久磁石７に対して回転磁界を正回転方向にＮ回転させ、設定回転数、もしくは、回転負荷検知のいずれかにより、Ｎ回転後に永久磁石７に対して逆回転方向へ回転磁界を切り替えて、正回転方向の回転数であるＮ回転よりも少ない回転数だけＭ回転させるように制御している。この構成により、永久磁石７が正回転方向にＮ回転することになり、撹拌体６の羽根部１０が正回転方向にＮ回転する。設定回転数、もしくは、回転負荷検知のいずれかにより、永久磁石７が逆回転方向にＭ回転することになり、撹拌体６の羽根部１０が逆回転方向にＭ回転する。
【００３８】
図２に示すように撹拌体６の羽根部１０の形状は、正回転方向の回転により被調理物を容器２の中心側から外側の内周部に向かって寄せ集めるように正回転方向の下流側に向けて凸状に湾曲している。これにより羽根部１０は逆回転方向の回転により正回転方向の回転により寄せ集められた被調理物を容器２の中心に向かって崩すように作用するように構成されている。
【００３９】
また、制御部５０は、制御部５０が設定回転数で回転方向を切り替える構成において、正回転方向の回転数Ｎ回転に対する逆回転方向の回転数Ｍ回転の比率が０．９から０．１の範囲で実行されて正回転の割合が多くなるように回転磁界発生装置１１を制御している。
【００４０】
さらに、制御部５０は、制御部５０が設定回転数で回転方向を切り替える構成において、逆回転方向の回転数Ｍ回転が１回転から２回転の範囲で実行されるように回転磁界発生装置１１を制御している。
【００４１】
本実施の形態において、制御部５０による設定回転数を２．５回転に設定し、制御部５０によって撹拌体６は正回転方向に２．５回転し、その後逆回転方向に１．２５回転し、正回転方向の回転数Ｎ回転に対する逆回転方向の回転数Ｍ回転の比率が０．５の比率で回転を制御している。これにより正回転方向の回転により寄せ集められた被調理物を容器２の中心に向かって崩すように作用することで負荷の増大を抑制しつつ、正回転方向に回転する割合が多くなるように制御されていて容器２内における被調理物を効率的に撹拌することができるようになっている。また撹拌体６の回転方向が変更されるときの羽根部１０の位置が一定の角度にならないように設定されている。
【００４２】
つまり撹拌体６の正回転方向の回転により羽根部１０は被調理物を容器２の内周部に向けて押し出すとともに、被調理物が容器２内周部から受ける抵抗、もしくは、被調理物が容器２の内周部に設けた邪魔部１６から受ける抵抗によって、被調理物が羽根部１０を乗越え、それにより被調理物を返す作用が起こっている。このようにして、撹拌体６を正回転と逆回転を交互に組み合わせて回転させることで、被調理物を容器２内で散らしたり寄せ集めたりしつつ、被調理物の裏表を返して容器２底面からヒーター部４の熱が被調理物全体に伝わるように加熱撹拌調理を行うことができる。
【００４３】
また羽根部１０に正回転方向の回転が停止するように被調理物の大きな負荷がかかる場合にも逆回転方向に回転して負荷の増大要因を解除して撹拌を継続して加熱ムラや焦げ付きを防ぐことができる。ここで逆回転方向の回転する比率は０．１を下回って設定したのでは負荷の増大を抑制する効果がさがり、さらに正回転方向の回転が停止した場合には負荷の増大要因を解除するまでに部分的に強く加熱されて焦げ付きが発生しやすくなることになることから逆回転方向の回転する比率を０．５に設定したものである。なお、本実施の形態としては固形物を主とした被調理物を前提として撹拌体６の回転速度は毎分２〜２０回転の低速回転に設定されている。
【００４４】
この撹拌調理を行うときは、クラッチ部は、回転磁界発生装置１１からの回転磁界による回転力を永久磁石７を介して収納部９に伝達させる状態となっている。詳細には、図４および図８に示すように、撹拌体６の収納部９内ではクラッチ爪部１９の爪部２０とクラッチ係合部２２の係合部２３とが係合し、永久磁石７が収納部９の底面位置まで下りた状態となっている。永久磁石７が収納部９底面まで下りた状態にあるということは、図４に示すように、永久磁石７と回転磁界発生装置１１の装置側永久磁石１２との磁石間の磁気ギャップＡは構成上で最も短い距離となり、この磁石間で発生可能な最大の磁気動作を発生させることができる。この時、圧縮コイルバネ２７も縮められた状態となり、永久磁石７を押し上げようとする荷重は増加するが、永久磁石７と装置側永久磁石１２との磁石同士の磁気吸引力の方がはるかに強いため、本来の磁石のみで発生し得る回転トルクからの減少は少ない状態である。本実施の形態における磁石間で発生する吸着力は約４．０Ｋｇｆの力が発生している。
【００４５】
撹拌体６の羽根部１０が回転する動作は、装置側永久磁石１２からの回転磁界による回転力を永久磁石７が同期して伝達され、永久磁石７は回転する。撹拌体６の収納部９内では図８に示すように、クラッチ爪部１９の爪部２０とクラッチ係合部２２の係合部２３とが係合しているため、永久磁石７の回転力がクラッチ爪部１９の爪部２０を介してクラッチ係合部２２の係合部２３に伝達される。係合部２３に回転力が付与されることにより、係合部２３と一体となった収納部９がシャフト部２６を中心に回転し、収納部９の外側側面に形成された羽根部１０が回転し、撹拌体６が回転することとなる。
【００４６】
調理終了後、容器２内から撹拌体６を取り外す際に撹拌体６を図２に示すように、使用者が羽根部１０を右回転させると、回転磁界発生装置１１のカップリング部１３はその場に留まっており、カップリング部１３内の装置側永久磁石１２からの回転磁界による吸引
力により撹拌体６内の永久磁石７もその位置に留まろうとする。このため、クラッチ爪部１９の爪部２０が図８に示す状態から図９に示すように、クラッチ係合部２２の係合部２３を回転方向に押す力が作用し、爪部２０が係合部２３の傾斜面３０に沿って上昇し、そのまま、図１０に示すように、爪部２０の下底がスライド部２８に乗った状態となる。また、この際には、クラッチ爪部１９からの回転方向への押力で永久磁石７は幾分だけ回転方向に回転するため、装置側永久磁石１２との間で、同極となる範囲が生じることとなり、そこで発生する反発力も作用して、永久磁石７は上昇することになる。
【００４７】
図１０に示す状態に永久磁石７が移動すると、クラッチ部は、回転磁界発生装置１１からの回転磁界による回転力を永久磁石７を介して収納部９に伝達させない状態となっている。これは、クラッチ爪部１９の爪部２０とクラッチ係合部２２の係合部２３とが係合していないため、永久磁石７が回転したとしても永久磁石７の回転力がクラッチ爪部１９の爪部２０を介してクラッチ係合部２２の係合部２３に伝達されないためである。
【００４８】
図１０に示す状態に永久磁石７が移動すると、図５に示すように、永久磁石７と回転磁界発生装置１１の装置側永久磁石１２との磁石間の磁気ギャップＢは、撹拌時の図４に示す磁石間の磁気ギャップＡからクラッチ係合部２２の係合部２３の高さ分だけ増加することになる。本実施の形態では係合高さを約１０ｍｍに設定しており、永久磁石７と装置側永久磁石１２との磁石間の吸引力は約１．０Ｋｇｆ程度にまで落ちることになり、撹拌状態の磁石間吸引力を約７５％減少させることができ、撹拌体６を取り外す際の負荷も大幅に軽減する。したがって、容器２内から撹拌体６を容易に取り外すことができる。
【００４９】
取り外した撹拌体６は、図１０に示すように、永久磁石７と磁性金属板１７が収納部９内の上方固定位置部３２の直下に保持された状態となっているため、撹拌体６を磁性体金属製でできたキッチンのシンク台等に置かれても、置かれた金属面から永久磁石７の吸引面との間には、撹拌体６の底の肉厚分とクラッチ部８の係合高さを合わせた空間距離Ｌ１が形成されることとなる。この空間距離Ｌ１により撹拌体６の底面に至る磁力の強さはほとんど無くなる状態にすることができるため、ほとんど吸着していない状態と言えるほどまでの吸着となっている。また、フォークやナイフといった磁性体金属でできた金属食器やキッチン用品においても同様、撹拌体６の磁気力によってほぼ吸着するということはない状態となっているため、磁力によってフォークやナイフが不意に吸着しているといった心配も起こらない。また、この時点では、クラッチ爪部１９の爪部２０が、クラッチ係合部２２のスライド部２８上に乗った状態であるため、強い衝撃が加わっても下方に落ちることはなく、収納部９底面における永久磁石７からの吸着力が、強い状態に戻ってしまうといったことは起こらない。
【００５０】
本実施の形態の撹拌体６において、収納部９に収めている永久磁石７の磁気特性では、仮に、永久磁石７を収納部９の底に位置させた状態に固定したとすると、磁性体の金属板等に着けた場合、その吸着力は約３．５Ｋｇｆ前後となるが、このクラッチ部８の作用により、その吸着力は約１００〜３００ｇｆにまで下がる。
【００５１】
本実施の形態の撹拌体６においては、永久磁石７が回転磁界発生装置１１との吸引する面との反対面、つまり撹拌体６の上方側に相当する面、換言すれば、上方固定位置部３２と対向する面には、図６に示すように、永久磁石７に磁性金属板１７を張り付けている。この構成のため、撹拌体６の上面には、永久磁石７が上方に位置した場合でも、この磁性金属板１７内で磁束が集中して撹拌体６の外界には磁界の透過がほとんどないため、撹拌体６の上面に金属物が吸着することはない。
【００５２】
また、本実施の形態の撹拌体６においては、図１０に示すように、永久磁石７が上方固定位置部３２の直下に位置したところで相対するように、収納部９内の外周にリング状の
磁性金属体２９を配している。換言すれば、クラッチ部は、回転磁界発生装置１１からの回転磁界による回転力を永久磁石７を介して収納部９に伝達させない状態のとき、永久磁石７の周囲側面に対向する収納部９にリング状の磁性金属体２９を配している。この構成によって、撹拌体６の周囲側面においても、このリング状の磁性金属体２９の厚み内に永久磁石７からの磁束が集中するため、撹拌体６の側面外界に磁界の透過がほとんどないため、撹拌体６の側面に金属物が吸着することはない。
【００５３】
ここで、本実施の形態では、リング状の磁性金属体２９を永久磁石７が上昇した際の相対する位置にしか設けてはいないが、設定する撹拌トルクとの兼ね合いの中で、収納部９の側面高さ方向全体にリング状の磁性金属体２９を設けても良く、また、永久磁石７の側面外周にリング状の磁性金属体２９を組み付けても良い。さらには、異種材料の接合手段によって撹拌体６の収納部９自体、底面部分を非金属もくしは非磁性体金属とし、側面部分および上方固定位置部３２を磁性体の金属で形成しても良い。
【００５４】
また、本実施の形態では、クラッチ爪部１９と収納部９の底面との間に圧縮コイルバネ２７を設けていることで、調理終了後、クラッチ部８を作用させずに無理やり取り外した場合でも、圧縮コイルバネ２７により永久磁石７と磁性金属板１７は上方固定位置部３２の直下の位置まで押し上げられた状態となる。圧縮コイルバネ２７は、永久磁石７と磁性金属板１７が上方固定位置部３２の直下に位置した状態で、収納部９底面に磁性体金属板を接地させたときに生じる吸着力よりも少し大きい押圧が永久磁石７に掛かるように設定しているため、撹拌体６を落すなど、少しの衝撃が加わったぐらいでは、永久磁石７が下方に落ちることはない。
【００５５】
再び、撹拌体６を容器２内の内底部にセットする際、図２に示すように、容器２の内底部に撹拌体６の収納部９の底面を接地させた状態で羽根部１０を右方向に回転させると、永久磁石７は、スライド部２８上に乗った爪部２０と共に回転方向に滑りながら、爪部２０がクラッチ係合部２２の傾斜面３１に掛かると図１１に示すように傾斜面３１に沿って下方に滑り落ち、図８に示すように永久磁石７は収納部９の底位置に位置するようになる。撹拌体６を容器２にセットした直後である図５に示す磁気ギャップＢの状態では、回転磁界発生装置１１との磁界による吸引力が圧縮コイルバネ２７の押圧よりも大きく、また、永久磁石７が収納部９の底位置に向かって下降するにつれて生じる圧縮コイルバネ２７の押圧の増加に対しても、磁石間の吸引力の方が磁気ギャップが縮まることでさらに増加する。この構成のため、永久磁石７は、確実に、収納部９の底面位置まで下降し、所望の撹拌トルクを発生させることができる。
【００５６】
一方、この撹拌体６のクラッチ部８は、調理中の撹拌時においても作用する。
調理中の撹拌において、被調理物の種類（例えば、肉、ジャガイモ、玉ねぎ、豆など）、被調理物の大きさ、被調理物のカットした状態（例えば、みじん切り、乱切りなど）、また、被調理物の量など、撹拌によって被調理物が混ざり合っていく上で、条件が重なると撹拌体６の羽根部１０と容器２の内周部との間に被調理物が挟まり撹拌体６に回転負荷が掛かってしまうことがある。特に、この実施の形態においては、撹拌特性を有利に作用させるために設けた容器２の内周部の邪魔部１６と撹拌体６の羽根部１０先端との間で被調理物が挟まり易い状態にある。この状態になってしまうと、今回の実施の形態にあるクラッチ部８を構成しない、たとえば羽根部１０と永久磁石７とが一体となって固定された一般的な構成の場合においては、撹拌体６と回転磁界発生装置１１との間で発生する回転トルク、言い換えると、吸着が外れる脱調トルク以上の負荷になると、撹拌体６の回転は止まった状態になるのに対して、回転磁界発生装置１１は回転し続けている。このため、相対するお互いの磁石間が異極であるが故に吸引関係にあった状態から、同極に切り替わって反発力が作用してしまうため、撹拌体６は、その反発力によって、上方へ押し上げられて撹拌体６が回転中心から外れた状態となってしまう。この状態になってしまうと、撹拌
作用は復帰しなくなり、本来の撹拌機能が無くなった状態となってしまう。つまり、このような構成では撹拌動作が停止した状態で放置して加熱が継続されると、被調理物は偏って加熱されてしまうので加熱ムラや部分的に焦げ付きが発生するなどの不具合が生じてしまうことになる。
【００５７】
これに対し、本実施の形態のクラッチ部８により、上述の負荷が掛かった状態になると、撹拌体６の羽根部１０および収納部９は、負荷によってその場に留まった状態（停止状態）になるが、永久磁石７は回転磁界発生装置１１の磁界との吸引状態のまま回転し、図９に示すように、クラッチ爪部１９の爪部２０が係合部２３の傾斜面３０を滑り上がって、図１０に示すように、爪部２０の下底がクラッチ係合部２２のスライド部２８に乗る。そして、磁界の吸引状態のまま、クラッチ爪部１９の爪部２０がスライド部２８上を摺動しながら回転し、再び、係合部２３の位置にさし掛かると図１１に示すように、爪部２０がクラッチ係合部２２の係合部２３に係合するように傾斜面３１に沿いながら下降するといった動作を行う。つまり、上述の負荷が掛かった状態では、撹拌体６の羽根部１０と収納部９が留まった状態で永久磁石７のみが空回りする状態となるため、磁石間の反発力によって撹拌体６自体が上方に押し上げられて回転中心から外れることなく定位置に留まるので、本来の撹拌機能を損なうことなく撹拌体６の逆回転方向の回転を組み合わせて撹拌動作が確実に継続できる構成となっている。つまり、本発明において撹拌体６は正回転方向と逆回転方向とを組み合わせて回転させているので被調理物が挟まって回転負荷が増大することを抑制することができる。さらに仮に回転負荷が増大して撹拌体が停止してしまう場合にも逆回転方向の回転によりその（たとえば調理物が挟まった）状態を解除して撹拌動作を継続することができる。
【００５８】
ここで、図１０に示すように、クラッチ爪部１９における爪部２０の下底がクラッチ係合部２２のスライド部２８に乗るように移動し、爪部２０がスライド部２８上を摺動しながら回転する時、クラッチ部は、回転磁界発生装置１１からの回転磁界による回転力を永久磁石７を介して収納部９に伝達させない状態となっており、撹拌体６の羽根部１０および収納部９は、負荷によってその場に留まった状態（停止状態）になるものである。これは、クラッチ爪部１９の爪部２０とクラッチ係合部２２の係合部２３とが係合していないため、永久磁石７が回転したとしても永久磁石７の回転力がクラッチ爪部１９の爪部２０を介してクラッチ係合部２２の係合部２３に伝達されないためである。
【００５９】
また、本実施の形態では、クラッチ部８において、主に回転する方向の正回転方向に位置する係合部２３の傾斜面３０を６５°〜８５°に設定していることで、クラッチ部８を構成しない場合に発生し得る回転トルクからの減少を１０％以内に抑えることができる。また、その対称側となる逆回転方向に位置する係合部２３の傾斜面３１を４５°〜７５°に設定したことにより、撹拌体６に負荷が掛かってクラッチ部８が作用し永久磁石７が上昇して空回り状態になった後、再び、係合部２３に係合する際、永久磁石７は傾斜面３１を緩やかに下降することとなる。この構成により、回転磁界発生装置１１からの強力な吸引力による急激な下降での衝撃音や、衝撃による永久磁石７への損傷に対しても抑えることができるようになる。
【００６０】
なお、本実施の形態では撹拌体６にクラッチ部８を備えた構成に基づき説明しているが、撹拌体６の羽根部１０の回転動作によって被調理物の一部が羽根部１０と容器２の内周部との間に挟まるように介在して抵抗となることで回転負荷が撹拌体６の駆動トルクを上回って増大することにより回転不能（ロック状態）になることを抑制するロック抑制に対しては、撹拌体６にクラッチ部８を備えない構成であっても良いものである。例えば、被調理物の量や種類に対応した設定回転数の設定、もしくは、回転磁界発生装置１１の負荷変動である回転負荷検知により撹拌体６の正回転方向と逆回転方向の切り替え制御を行えば、同等の効果を得ることは可能である。
【００６１】
なお、前記様々な実施形態のうちの任意の実施形態を適宜組み合わせることにより、それぞれの有する効果を奏するようにすることができる。たとえば加熱手段としてもヒーターに限らず誘導加熱やスチームや温風や輻射加熱などの加熱手段を用いたものでもあっても良い。
【００６２】
以上のように、本実施の形態においては、加熱容器に入れた被調理物の加熱とともに撹拌体による撹拌ができるので、たとえば数皿分のカレーなどの負荷の大きな煮込み調理においても定期的にしゃもじ等でかき混ぜなくとも焦げ付きや加熱ムラを防止することができるものである。撹拌体を正回転方向と逆回転方向とを異なる割合で組み合わせて回転させて被調理物を撹拌することで、被調理物に対し正回転方向の回転とは反対の向きから撹拌体の回転力を作用させることができ被調理物の偏り過ぎによる撹拌体にかかる負荷の増大要因を解除しつつ撹拌することができる。さらに撹拌体に過負荷がかかって撹拌体が停止する場合でも撹拌体の逆回転方向の回転を組み合わせているので、人手を介さずにこの状態から脱出することができ被調理物の撹拌を継続することができる。撹拌トルクを低く設定することができるものであり過撹拌による被調理物の煮崩れを抑制することができ使用性に優れた加熱撹拌調理器を提供することができる。加熱調理完了まで蓋を開けて調理工程を監視する必要もなく、蓋を開けることによる熱の損失も抑制する効果が期待できる。
【産業上の利用可能性】
【００６３】
以上のように、本発明の加熱撹拌調理器は、調理開始時に予め被調理物を投入するだけで調理が完成するまで手間をかける必要性がなく極めて有用となる。特に、電気圧力鍋やマルチクッカーのような蓋に操作部や表示部を設けて閉止機構を備えた形態、あるいはタイマー予約付きなどの調理器に有効に適用することができる。
【符号の説明】
【００６４】
２  容器
３  収納容器部
４  ヒーター部
６  撹拌体
７  永久磁石
８  クラッチ部
９  収納部
１０  羽根部
１１  回転磁界発生装置
１２  装置側永久磁石
１７  磁性金属板
１９  クラッチ爪部
２０  爪部
２２  クラッチ係合部
２３  係合部
２７  圧縮コイルバネ
２８  スライド部
２９  磁性金属体
３０、３１  傾斜面
５０  制御部
【図１】
0006799747.tif 000002
【図２】
0006799747.tif 000003
【図３】
0006799747.tif 000004
【図４】
0006799747.tif 000005
【図５】
0006799747.tif 000006
【図６】
0006799747.tif 000007
【図７】
0006799747.tif 000008
【図８】
0006799747.tif 000009
【図９】
0006799747.tif 000010
【図１０】
0006799747.tif 000011
【図１１】
0006799747.tif 000012
【図１２】
0006799747.tif 000013